(57)【特許請求の範囲】
【請求項１】
ビール瓶等の内容物を使用後、洗浄することにより再利用する瓶に札貼して使用するアルカリ溶液で剥離可能な紙ラベルにおいて、該ラベルの一部に分離可能領域を設け、前記分離可能領域の裏面に、耐水性を有し、アルカリ可溶な被覆層を設けたことを特徴とする、洗瓶可能な紙ラベル。
【請求項２】
前記被覆層が、アミノアルキッド樹脂、アミノアルキッド変性フェノール樹脂、ニトロセルロース樹脂、アクリ系樹脂のいずれか１種を主成分とした被覆剤を用いたことを特徴とする、請求項１記載の洗瓶可能な紙ラベル。
【請求項３】
前記分離可能領域の裏面に設けた被覆層上に、さらに剥離剤層を設けたことを特徴とする，請求項１ないし請求項２のいずれか１項記載の洗瓶可能な紙ラベル。
【請求項４】
前記剥離剤層が、シリコーン、レシチンのいずれか１種からなることを特徴とする、請求項３記載の洗瓶可能な紙ラベル。
【請求項５】
金属蒸着層を有する構成としたことを特徴とする、請求項１ないし請求項４のいずれか１項記載の洗瓶可能な紙ラベル。
【発明の詳細な説明】
【０００１】
【発明の属する技術分野】
本発明は、ビール瓶等に用いるアルカリ溶液で分離可能な紙ラベルに関し、その１部に応募券等の分離可能領域を設けた洗瓶可能な紙ラベルに関する。
【０００２】
【従来の技術】
ビール瓶等の瓶は、内容物を使用後、瓶を洗浄して再利用するため、予め貼着した紙ラベルを、洗浄時のアルカリ溶液により分離できるように、紙ラベルに工夫を施している。例えば、実公平５−８６１５号に示されるように、１〜４％のアルカリ溶液で溶解でき、しかも冷蔵庫等に保管している時に発生する水滴により、紙ラベルの剥離等の現象が発生
しない構成としている。
【０００３】
一方、商品の販売促進のため、応募券等を一体的に容器に設けることが提案され、缶の場合は、その胴部の表面に粘着紙ラベルからなる応募券を単独で貼着することにより行うことが可能である。しかし、瓶の場合、前述のように瓶を洗浄して再利用するため、缶のように粘着紙ラベルを用いると、アルカリ溶液で洗浄しても剥離、分離することはできず、従来から使用されている表示用紙ラベルのように洗瓶時に剥離できる構成の素材を応募券等に利用しなければならなかった。
【０００４】
そこで、表示用紙ラベルの一部を分離可能として、応募券等に使用することが提案され、この場合、例えば、前述の実公平５−８６１５号の構成の紙ラベルに分離可能領域を設け、この領域を応募券することが考えられる。しかし、アルカリ溶液で洗瓶が可能な紙ラベルの、裏面全体にでんぷん糊を塗布して、瓶に札貼した場合、分離可能領域の応募券を切離し分離することは不可能である。また、分離可能領域の応募券の裏面の部分だけ、でんぷん糊を塗布しない構成とすることにより、応募券の切離し分離は可能であるが、応募券の部分の耐水性が不足し、冷蔵庫等で発生する水滴により、剛性が低下し、切離し分離が困難となってしまう問題がある。
【０００５】
【発明が解決しようとする課題】
本発明は、ビール瓶等の内容物の使用後、洗浄することにより再利用する瓶に札貼して使用する紙ラベルで、洗浄時に容易に剥離可能で、しかも応募券等の分離可能領域の分離が容易な洗瓶可能な紙ラベルを提供することである。
【０００６】
【課題を解決するための手段】
本発明は、ビール瓶等の内容物を使用後、洗浄することにより再利用する瓶に札貼して使用するアルカリ溶液で剥離可能な紙ラベルにおいて、該ラベルの一部に分離可能領域を設け、前記分離可能領域の裏面に、耐水性を有し、アルカリ可溶な被覆層を設けたことを特徴とする、洗瓶可能な紙ラベルである。請求項２に記載の発明は、前記被覆層が、アミノアルキッド樹脂、アミノアルキッド変性フェノール樹脂、ニトロセルロース樹脂、アクリ系樹脂のいずれか１種を主成分とした被覆剤を用いたことを特徴とする、洗瓶可能な紙ラベルである。請求項３に記載の発明は、前記分離可能領域の裏面に設けた被覆層上に、さらに剥離剤層を設けたことを特徴とする，洗瓶可能な紙ラベルである。請求項４に記載の発明は、前記剥離剤層が、シリコーン、レシチンのいずれか１種からなることを特徴とする、洗瓶可能な紙ラベルである。請求項５に記載の発明は、金属蒸着層を有する構成としたことを特徴とする、洗瓶可能な紙ラベルである。
【０００７】
【作用】
紙ラベルの分離可能領域の裏面に、アルカリ可溶で、耐水性を有する被覆層を設けたので、瓶の表面に付着した水滴により、紙ラベルが軟化することがないので、分離可能領域が容易に分離することができる。これにより、分離可能領域の裏面のみにでんぷん糊を塗布しないことにより、分離可能領域の切離しが容易となる。また、でんぷん糊を紙ラベルの裏面全体に塗布する場合は、分離可能領域の裏面に設けた被覆層上に、さらに、剥離剤層を設けることにより、分離可能領域の裏面のみにでんぷん糊が塗布されない状態とすることができ、分離可能領域の切離しが可能となる。
【０００８】
【発明の実施の形態】
図１は、本発明の紙ラベルの一例を示す平面図、図２は、図１のＡ−Ａからの断面を示す断面図である。紙ラベル１の上辺の２か所に切欠２、２を設け、この切欠２、２をコの字状に結ぶ切離し線３を設け、分離可能領域４を形成したもので、その積層構成は、以下の通りである。原紙１０上にクレーコート層１１を設け、このクレーコート層１１上に、
プレコート層１２、アルミニウム蒸着層１３、プライマー層１４、印刷層１５、およびオーバーコート層１６を順次設けた構成で、かつ分離可能領域４の原紙１０の裏面には、前記プレコート層１２と同種の被覆剤からなる被覆層１７を形成してなる。
【０００９】
ここで、原紙１０は、水に浸漬した時の水中伸度２．５％以下、特に１．５％以下であることが必要で、これ以上の水中伸度の原紙を用いた場合、水滴等が付着すると、蒸着層、印刷層、およびオーバーコート層に亀裂等が発生し、外観が低下する。プレコート層１２は、アミノアルキッド樹脂、アミノアルキッド変性フェノール樹脂、ニトロセルロース樹脂、アクリ系樹脂のいずれか１種を主成分とするプレコート剤で、具体的には、ニトロセルロース系樹脂の場合、フタル酸エステル、アジピン酸エステル、セバシン酸エステル等の脂肪酸エステルを２０〜５０重量％の範囲で混合してなる。また、アミノアルキッド樹脂の場合、マレイン酸を５〜１０重量％の範囲で混合してなる。
【００１０】
アルミニウム蒸着層１３は、４００〜１０００Åの範囲で形成し、印刷層１５を設けるためのプライマー層１４は、アルカリ可溶性の樹脂で、具体的にはシェラック樹脂、ニトロセルロース樹脂を用いた材料からなる。印刷層１５は、ニトロセルロース系樹脂、ポリアミド系樹脂またはこれらの混合樹脂をビヒクルとしたインキからなる。さらに、オーバーコート層１６は、前記印刷層１５のビヒクルとして用いた樹脂からなるコート剤を用いる。被覆層１７は、前記プレコート層１２と同様の被覆剤を塗布して設ける。
【００１１】
上記紙ラベル１を瓶に札貼する場合、分離可能領域４の裏面の被覆層１７を設けた部分には、でんぷん糊を塗布しないで、その他の部分に塗布して、でんぷん糊で瓶に貼着することにより、瓶に貼ったままで分離可能部分４を切り離すことができ、応募券等として利用することができる。
【００１２】
その他の図３に示すように、図２に示す構成の被覆層１７の下面に、さらに剥離剤層１８を設けた構成としてもよい。この構成とすることにより、原紙１０の裏面全体にでんぷん糊を塗布しても、剥離剤層１８の部分には、でんぷん糊が残らないので、瓶に貼ったままで分離可能部分４を切り離すことができるので、応募券等に利用することができる。ここで、剥離層１８に用いる剥離剤は、各種あるが、レシチン、シリコーン樹脂等が適当である。
【００１３】
また、前記の紙ラベルは、アルミニウム蒸着層１３を有する積層構成について説明した。このアルミニウム蒸着層１３を設けない構成でもよいことは勿論であり、この場合は、プレコート層１２は不必要となる。
【００１４】
【発明の効果】
本発明は、洗瓶時にアルカリ溶液で剥離可能な構成の紙ラベルの一部に設けた分離可能領域の裏面に被覆層を設けた場合、分離可能領域の裏面を除いてでんぷん糊を塗布することで、瓶に札貼することにより、紙ラベルを瓶に貼ったままの状態で切り離すことができ、従来の紙ラベルの一部を応募券等に利用することができる。また、前記紙ラベルの分離可能領域の裏面の被覆層上に、さらに剥離剤層を設けることにより、分離可能領域部分が切離し可能となり、前述と同様、従来の紙ラベルの一部を応募券等に利用することができる。
【図面の簡単な説明】
【図１】本発明の紙ラベルの一例を示す説明図である。
【図２】図１のＡ−Ａからの状態を示す断面図である。
【図３】他の紙ラベルの構成を示す断面図である。
【符号の説明】
１‥‥紙ラベル
２‥‥切欠
３‥‥切離し線
４‥‥分離可能領域
１７‥‥被覆層
１８‥‥剥離剤層
【図１】
0003543612.tif 000002
【図２】
0003543612.tif 000003
【図３】
0003543612.tif 000004